(57)【特許請求の範囲】
【請求項１】
内側ケリーバを外側ケリーバに移動可能に挿入して軸方向に伸縮する伸縮式ケリーバにおいて、
前記内側ケリーバの下端側に上方を向いたストッパ面を設けると共に、前記外側ケリーバの下端側に取付面を前記ストッパ面と対向して形成し、前記取付面に緩衝材を設け、該緩衝材に形成した沈降孔に挿入したネジを前記取付面に螺入して前記緩衝材を着脱可能とし、前記ストッパ面に向かって突出した凸部を前記外側ケリーバ側に前記緩衝材の厚さよりも低く形成したことを特徴とする伸縮式ケリーバ。
【請求項２】
前記凸部は、前記ネジの頭部よりも前記ストッパ面側に突出したことを特徴とする請求項１記載の伸縮式ケリーバ。
【発明の詳細な説明】
【０００１】
【発明の属する技術分野】
本発明は、先端に地中を掘削する掘削具が取り付けられる伸縮式ケリーバに関する。
【０００２】
【従来の技術】
従来より、先端に掘削バケット等の掘削具を取り付けて、回転させることにより掘削する伸縮式ケリーバとして、特開平２−２５６７８８号公報にあるものが知られている。この伸縮式ケリーバは、インナケリーバ、セカンドケリーバ、アウタケリーバ等により多段に構成され、インナケリーバの下端側に設けたストッパの上面に、非鉄金属製の緩衝材を取り付けている。緩衝材を取り付ける際には、緩衝材にサラ孔を形成し、このサラ孔にビスを挿入し、ビスをストッパに螺入して固定している。
【０００３】
そして、このストッパと対向したフランジをセカンドケリーバの下端側に設け、伸縮式ケリーバを縮小したときに、フランジが緩衝材に突き当たるように構成し、騒音の発生を防止するようにしている。
【０００４】
【発明が解決しようとする課題】
しかしながら、こうした従来のものでは、土砂がサラ孔内に入り込むと、伸縮式ケリーバを縮小して、フランジが緩衝材に突き当たった際、サラ孔内の土砂が固められてしまい、サラ孔に土砂が圧着されて、緩衝材を交換する際にビスを取り外すことが困難になるという問題があった。
【０００５】
本発明の課題は、緩衝材の交換を容易にした伸縮式ケリーバを提供することにある。
【０００６】
【課題を解決するための手段】
かかる課題を達成すべく、本発明は課題を解決するため次の手段を取った。即ち、
内側ケリーバを外側ケリーバに移動可能に挿入して軸方向に伸縮する伸縮式ケリーバにおいて、
前記内側ケリーバの下端側に上方を向いたストッパ面を設けると共に、前記外側ケリーバの下端側に取付面を前記ストッパ面と対向して形成し、前記取付面に緩衝材を設け、該緩衝材に形成した沈降孔に挿入したネジを前記取付面に螺入して前記緩衝材を着脱可能とし、前記ストッパ面に向かって突出した凸部を前記外側ケリーバ側に前記緩衝材の厚さよりも低く形成したことを特徴とする伸縮式ケリーバがそれである。
【０００７】
また、前記凸部は、前記ネジの頭部よりも前記ストッパ面側に突出させるとよい。
【０００８】
【発明の実施の形態】
以下本発明の実施の形態を図面に基づいて詳細に説明する。
図３に示すように、１は多段の伸縮式ケリーバで、本実施形態の伸縮式ケリーバ１は、インナケリーバ２、セカンドケリーバ４、サードケリーバ６、アウタケリーバ８を備えている。
【０００９】
インナケリーバ２には、図１に示すように、その下端に図示しない掘削バケット等の掘削具を取り付けるための取付軸部１０が設けられている。取付軸部１０の上側には径方向に突出したフランジ部１２が形成されており、インナケリーバ２には軸方向に摺動可能にリング状のストッパ１４が装着されている。フランジ部１２とストッパ１４との間にはコイルスプリング１６が設けられている。ストッパ１４には、上方を向いた平坦なストッパ面１４ａが形成されている。
【００１０】
インナケリーバ２の上端には、図３に示すように、連結部１８が設けられており、連結部１８には、図示しないスイベルジョイントを介してワイヤが接続される。ワイヤは図示しない施工機に搭載されたウインチにより巻き上げられ、あるいは繰り出されるように構成されている。
【００１１】
インナケリーバ２は、筒状のセカンドケリーバ４に軸方向に移動可能に挿入されている。インナケリーバ２の外周には、軸方向に沿って突起２０が複数形成されている。セカンドケリーバ４の下端に設けられた摺動部４ａには軸方向に摺動孔４ｂが形成されている。摺動孔４ｂには複数の溝２２が形成されており、溝２２に突起２０が摺動可能に挿入されている。これにより、セカンドケリーバ４の回転が、インナケリーバ２に伝達されるように構成されている。
【００１２】
インナケリーバ２の上端には、大径の規制部２ａが設けられており、規制部２ａが摺動部４ａの上側に突き当たって、インナケリーバ２がセカンドケリーバ４から抜けないように構成されている。セカンドケリーバ４の下端外周には、リング状のフランジ２４が嵌着されており、セカンドケリーバ４とフランジ２４とにピン２６が挿入されると共に、フランジ２４に挿入されたピン２８によりピン２６の抜け止めが図られて、セカンドケリーバ４とフランジ２４とが一体に固定されている。
【００１３】
フランジ２４には、ストッパ面１４ａと対向した平坦な取付面２４ａが形成されており、セカンドケリーバ４の下端がこの取付面２４ａよりも下方に突出されて凸部３０が形成されている。取付面２４ａには、緩衝材３２が設けられており、緩衝材３２は、例えば、樹脂等の弾性を有すると共に、耐摩耗性に優れた材質のものにより形成されている。
【００１４】
緩衝材３２には、中央に貫通孔３４が形成されており、貫通孔３４には凸部３０が挿入されている。また、緩衝材３２には、軸方向と平行に、複数の沈降孔３６が形成されており、沈降孔３６にはネジ３８が、挿入され、ネジ３８は取付面２４ａに螺入されている。本実施形態では、図５に示すように、沈降孔３６は、いわゆる座ぐり孔であり、ネジ３８に六角ボルトが用いられている。ネジ３８にサラネジが用いられるときには、沈降孔３６は、いわゆるサラ孔とすればよい。また、緩衝材３２は、図２に二点鎖線で示すように、複数に分割して形成してもよい。
【００１５】
ネジ３８の頭部は、沈降孔３６内に完全に収納されており、かつ、その深さには余裕があるように形成されている。一方、凸部３０の高さは、緩衝材３２の厚さよりも低く形成されており、かつ、ネジ３８の頭部よりもストッパ面１４ａ側にあるように形成されている。
【００１６】
セカンドケリーバ４は、サードケリーバ６に移動可能に挿入されており、前述したインナケリーバ２とセカンドケリーバ４との関係と同様に構成されている。即ち、サードケリーバ６の回転がセカンドケリーバ４に伝達されると共に、軸方向に移動できるように構成されている。
【００１７】
また、セカンドケリーバ４下端のフランジ２４には、取付面２４ａと反対側にストッパ面２４ｂが形成されている。サードケリーバ６の下端外周にもフランジ４０が装着されており、フランジ４０にはストッパ面２４ｂに対向する取付面４０ａが形成されている。取付面４０ａには、同様の緩衝材４２が図示しない沈降孔に挿入されたネジにより固定されている。また、サードケリーバ６の下端には、同様に凸部４４が形成されている。
【００１８】
サードケリーバ６は、アウタケリーバ８に移動可能に挿入されており、前述したインナケリーバ２とセカンドケリーバ４との関係と同様に構成されている。即ち、アウタケリーバ８の回転がサードケリーバ６に伝達されると共に、軸方向に移動できるように構成されている。
【００１９】
また、サードケリーバ６下端のフランジ４０には、取付面４０ａと反対側にストッパ面４０ｂが形成されている。アウタケリーバ８の下端には、ストッパ面４０ｂに対向する取付面８ａが形成されている。取付面８ａには、同様にして緩衝材４６が図示しない沈降孔に挿入されたネジにより固定されている。また、アウタケリーバ８の下端には、同様に凸部が形成されている。
【００２０】
尚、本実施形態では、インナケリーバ２とセカンドケリーバ４との関係では、インナケリーバ２が内側ケリーバに、セカンドケリーバ４が外側ケリーバに相当する。また、セカンドケリーバ４とサードケリーバ６との関係では、セカンドケリーバ４が内側ケリーバに、サードケリーバ６が外側ケリーバに相当する。更に、サードケリーバ６と、アウタケリーバ８との関係では、サードケリーバ６が内側ケリーバに、アウタケリーバ８が外側ケリーバに相当する。伸縮式ケリーバ１は、本実施形態のように４段に限らず、それ以上の段数のものでもよく、あるいは、２段、３段のものでもよい。
【００２１】
次に、前述した本実施形態の伸縮式ケリーバの作動について説明する。
取付軸部１０には、掘削具が取り付けられ、アウタケリーバ８が図示しない回転駆動機構に装着されて、アウタケリーバ８が回転駆動される。これにより、図４に示す縮小した状態から、ワイヤが繰り出されて、掘削具により掘削が行われる。掘削具内に土砂が取り込まれて満杯になると、回転が停止されると共に、ワイヤが巻き上げられる。そして、掘削具から外部に土砂が排出されると、再び掘削具による掘削が行われる。
【００２２】
掘削された孔が深くなり、繰り出されるワイヤが長くなるに従って、まず、サードケリーバ６が摺動してアウタケリーバ８から突き出される。更に孔が深くなると、サードケリーバ６からセカンドケリーバ４が突き出される。そして、セカンドケリーバ４からインナケリーバ２が突き出される。
【００２３】
突き出された状態から、ワイヤが巻き上げられると、インナケリーバ２が摺動してセカンドケリーバ４内に収納される。そして、ストッパ面１４ａが緩衝材３２に突き当たると、セカンドケリーバ４が摺動してサードケリーバ６内に収納される。セカンドケリーバ４のストッパ面２４ｂがサードケリーバ６の緩衝材４２に突き当たると、サードケリーバ６が摺動してアウタケリーバ８内に収納される。更に、サードケリーバ６のストッパ面４０ｂが緩衝材４６に突き当たると、図４に示すように、完全に縮小された状態となり、掘削具を外部に取り出して土砂を排出する。
【００２４】
縮小させる際に、各ストッパ面１４ａ，２４ｂ，４０ｂが緩衝材３２，４２，４６に突き当たるが、緩衝材３２，４２，４６により騒音の発生が抑制される。また、沈降孔３６が下方に開口しているので、沈降孔３６内に土砂が入り込んでも、伸縮式ケリーバ１を伸張した際に、土砂が落下する。よって、沈降孔３６内に土砂が残留することがないので、土砂で沈降孔３６が詰まることがない。従って、緩衝材３２，４２，４６を交換する際、簡単にネジ３８を取り外すことができる。
【００２５】
一方、各ストッパ面１４ａ，２４ｂ，４０ｂと緩衝材３２，４２，４６との衝突を繰り返すことにより、緩衝材３２，４２，４６が摩耗する。摩耗が進行すると、その厚さが薄くなり、凸部３０，４４とストッパ面１４ａ，２４ｂ，４０ｂとが突き当り、金属音が発生するようになる。その際には、緩衝材３２，４２，４６が摩耗して、交換時期となったことを知ることができる。緩衝材３２，４２，４６が摩耗した際には、凸部３０，４４とストッパ面１４ａ，２４ｂ，４０ｂとが突き当り、ネジ３８の頭部はストッパ面１４ａ，２４ｂ，４０ｂに突き当たらない。よって、ネジ３８の頭部を潰すことがない。
【００２６】
以上本発明はこの様な実施形態に何等限定されるものではなく、本発明の要旨を逸脱しない範囲において種々なる態様で実施し得る。
【００２７】
【発明の効果】
以上詳述したように本発明の伸縮式ケリーバは、沈降孔内に土砂が残留することがないので、土砂で沈降孔が詰まることがなく、緩衝材を交換する際、簡単にネジを取り外すことができるという効果を奏する。また、凸部を形成したことにより、緩衝材が摩耗した際、凸部とストッパ面とが突き当り、金属音が発生するようになるので、交換時期となったことを知ることができる。
【図面の簡単な説明】
【図１】本発明の一実施形態としての伸縮式ケリーバのインナケリーバとセカンドケリーバとの要部拡大断面図である。
【図２】図１のＡＡ断面図である。
【図３】本実施形態の伸縮式ケリーバの伸張状態の断面図である。
【図４】本実施形態の伸縮式ケリーバの縮小状態の断面図である。
【図５】本実施形態の沈降孔の拡大断面図である。
【符号の説明】
１…伸縮式ケリーバ    ２…インナケリーバ
２ａ…規制部          ４…セカンドケリーバ
４ａ…摺動部          ４ｂ…摺動孔
６…サードケリーバ    ８…アウタケリーバ
８ａ，２４ａ，４０ａ…取付面
１０…取付軸部        １２…フランジ部
１４…ストッパ
１４ａ，２４ｂ，４０ｂ…ストッパ面
１６…コイルスプリング
２４，４０…フランジ  ３０，４４…凸部
３２，４２，４６…緩衝材
３４…貫通孔          ３６…沈降孔
３８…ネジ
【図１】
0003686621.tif 000002
【図２】
0003686621.tif 000003
【図３】
0003686621.tif 000004
【図４】
0003686621.tif 000005
【図５】
0003686621.tif 000006